(57)【要約】【課題】内部メモリの記憶容量を超える場合に、人手を介することなく内部メモリ中の記録情報を保護し得る電話交換装置を提供する。【解決手段】電話交換装置１のスロット２１に外部メモリ３を装着しておき、ファイル転送制御部１７において、記憶部１５の記憶容量が上限設定値を超えるか否かを判定し、上限設定値を超える場合に、記憶部１５に記憶されている古いログデータを外部メモリ３に転送して記録するようにしている。【選択図】      図１
2007006372.tif 000002
【特許請求の範囲】
【請求項１】
通信情報を処理する情報処理装置であって、
前記通信情報の処理履歴に関する処理記録情報を第１の記録媒体に記録する記録手段と、
前記第１の記録媒体とは異なる第２の記録媒体を接続する接続手段と、
前記第１の記録媒体中の記録情報量が基準値に達することを検出する検出手段と、
前記第１の記録媒体中の記録情報量が基準値に達したことが検出されるとき、前記第１の記録媒体中の前記処理記録情報を前記第２の記録媒体に転送して記録する制御手段とを具備したことを特徴とする情報処理装置。
【請求項２】
複数の電話端末間の交換処理を実行する電話交換装置であって、
前記交換処理の処理履歴に関する処理記録情報を第１の記録媒体に記録する記録手段と、
前記第１の記録媒体とは異なる第２の記録媒体を接続する接続手段と、
前記第１の記録媒体中の記録情報量が基準値に達することを検出する検出手段と、
前記第１の記録媒体中の記録情報量が基準値に達したことが検出されるとき、前記第１の記録媒体中の前記処理記録情報を前記第２の記録媒体に転送して記録する制御手段とを具備したことを特徴とする電話交換装置。
【請求項３】
前記接続手段は、前記第２の記録媒体が可搬型記録媒体であるとき、前記第２の記録媒体が着脱自在に装着される装着手段を備えたことを特徴とする請求項２記載の電話交換装置。
【請求項４】
前記接続手段は、前記第２の記録媒体が接続された通信ネットワークを接続することを特徴とする請求項２記載の電話交換装置。
【請求項５】
前記制御手段は、
前記第１の記録媒体中の記録情報量が基準値に達したことが検出されるとき、前記第１の記録媒体中の前記処理記録情報を前記第２の記録媒体に転送して記録する第１の処理モードと、
前記第１の記録媒体中の記録情報量が基準値に達したことが検出される場合にも、前記第１の記録媒体に前記処理記録情報を上書きする第２の処理モードと、
指定操作入力に応じて、前記第１及び第２の処理モードを選択的に実行する選択制御手段とを備えたことを特徴とする請求項２記載の電話交換装置。
【請求項６】
前記制御手段は、システムリセット時に、前記第１の記録媒体中の処理記録情報を前記第２の記録媒体に転送して記録することを特徴とする請求項２記載の電話交換装置。
【請求項７】
前記制御手段は、前記第１の記録媒体中の処理記録情報を前記第２の記録媒体に転送するとき、前記第１の記録媒体中の処理記録情報を前記第２の記録媒体の記録情報のファイル形式に変換する変換手段を備えることを特徴とする請求項２記載の電話交換装置。
【発明の詳細な説明】
【技術分野】
【０００１】
この発明は、通信情報を処理する情報処理装置と、複数の電話端末間の交換処理を実行する電話交換装置に関する。
【背景技術】
【０００２】
電話交換装置は、処理中に遭遇した内部的または外部的な異常を検出し、エラー／アラームログとして記録する。また、ソフトウェアの呼処理・保守が動作した際に、やり取りしたメッセージとその内容を記録できる。ログ情報は電話交換装置の内蔵メモリ内または外部記憶媒体に格納される。ログのフォーマットは、タイムスタンプが付与され、マニュアル等によって内容を解読できるものとなる。ログはある程度長い時間保持される。
【０００３】
しかしながら、内蔵メモリの蓄積容量越え、あるいは内蔵メモリの上限設定値を超えてしまうと、古いデータから順にファイル削除を行い、結果的に上書き状態となってしまう。このため、トラフィックの多い電話交換装置にて問題が発生した場合、問題発生時のログデータが残されていない事態が発生してしまう。このため、再度問題が発生しない場合には、問題原因を解明することが厳しい状況になる。
【０００４】
現状では、問題発生した電話交換装置に対して監視を行い、メンテナンスサーバによりＳＮＭＰ（Simple Network Management Protocol）を用いて、自主的にデータ採取を行わなければならない。
【０００５】
なお、電話交換装置が通信ネットワークに接続されているとき、通信ネットワーク上の監視装置からの遠隔制御により電話交換装置の内蔵メモリに記録されるログデータを監視装置にて採取する手法も考えられている（例えば、特許文献１）。
【特許文献１】特開２００２−６３０４８号公報。
【発明の開示】
【発明が解決しようとする課題】
【０００６】
しかしながら、上記手法では、監視装置に保守員やオペレータが常駐していなければ、通信ネットワーク上の電話交換装置にアクセスして内蔵メモリに記録されるログデータを採取することができない。
【０００７】
この発明の目的は、内部メモリの記憶容量を超える場合に、人手を介することなく内部メモリ中の記録情報を保護し得る情報処理装置及び電話交換装置を提供することにある。
【課題を解決するための手段】
【０００８】
この発明は、上記目的を達成するために、以下のように構成される。  
複数の電話端末間の交換処理を実行する電話交換装置であって、交換処理の処理履歴に関する処理記録情報を第１の記録媒体に記録する記録手段と、第１の記録媒体とは異なる第２の記録媒体を接続する接続手段と、第１の記録媒体中の記録情報量が基準値に達することを検出する検出手段と、第１の記録媒体中の記録情報量が基準値に達したことが検出されるとき、第１の記録媒体中の前記処理記録情報を第２の記録媒体に転送して記録する制御手段とを備えるようにしたものである。
【０００９】
この構成によれば、第２の記録媒体を接続しておくことで、第１の記録媒体中の記録情報量が基準値つまり上限設定値を超える場合に、第１の記録媒体中の処理記録情報が第２の記録媒体に転送されることになる。このため、第１の記録媒体中の記録情報量が記憶容量を超える場合に、人手を介することなく第１の記録媒体中の処理記録情報を第２の記録媒体に転送して保護することができる。
【００１０】
接続手段は、第２の記録媒体が可搬型記録媒体であるとき、第２の記録媒体が着脱自在に装着される装着手段を備えたことを特徴とする。  
この構成によれば、ユーザが可搬型記録媒体を所持している場合に、可搬型記録媒体を装置内のスロットに装着するだけで、第１の記録媒体中の記録情報量が基準値つまり上限設定値を超える恐れがある場合に、第１の記録媒体中の処理記録情報が可搬型記録媒体に転送されることになる。このため、低コストで第１の記録媒体中の処理記録情報を保護することができる。
【００１１】
接続手段は、第２の記録媒体が接続された通信ネットワークを接続することを特徴とする。  
この構成によれば、通信ネットワークに接続しておくだけで、第１の記録媒体中の記録情報量が基準値つまり上限設定値を超える場合に、第１の記録媒体中の処理記録情報が通信ネットワーク上の第２の記録媒体に転送されることになる。このため、装置内に可搬型記録媒体が装着されていない場合にも、通信ネットワークを利用して第１の記録媒体中の処理記録情報を保護することができる。
【００１２】
制御手段は、第１の記録媒体中の記録情報量が基準値に達したことが検出されるとき、第１の記録媒体中の処理記録情報を第２の記録媒体に転送して記録する第１の処理モードと、第１の記録媒体中の記録情報量が基準値に達したことが検出される場合にも、第１の記録媒体に処理記録情報を上書きする第２の処理モードと、指定操作入力に応じて、第１及び第２の処理モードを選択的に実行する選択制御手段とを備えたことを特徴とする。
【００１３】
この構成によれば、ユーザが自身で第１の記録媒体中の記録情報量が基準値つまり上限設定値を超える場合に、第１の記録媒体中の処理記録情報を第２の記録媒体に転送する必要があるか否かを判断して指示することができ、これにより真に必要な処理記録情報のみを保護することが可能となる。
【００１４】
制御手段は、システムリセット時に、第１の記録媒体中の処理記録情報を第２の記録媒体に転送して記録することを特徴とする。  
この構成によれば、装置内の異常発生時にシステムリセットが行なわれると、第１の記録媒体中の記録情報量が基準値つまり上限設定値を超えるか否かの判断に関係なく、即座に第１の記録媒体中の処理記録情報が第２の記録媒体に転送されることになる。このため、装置内の動作異常が第１の記録媒体中の処理記録情報に波及することを防ぐことができる。
【００１５】
制御手段は、第１の記録媒体中の処理記録情報を第２の記録媒体に転送するとき、第１の記録媒体中の処理記録情報を第２の記録媒体の記録情報のファイル形式に変換する変換手段を備えることを特徴とする。
【００１６】
この構成によれば、如何なるタイプの第２の記録媒体を使用しても、第１の記録媒体中の処理記録情報を第２の記録媒体に転送して記録することができる。
【発明の効果】
【００１７】
以上詳述したようにこの発明によれば、内部メモリの記憶容量を超える場合に、人手を介することなく内部メモリ中の記録情報を保護し得る情報処理装置及び電話交換装置を提供することができる。
【発明を実施するための最良の形態】
【００１８】
以下、この発明の実施形態について図面を参照して詳細に説明する。  
（第１の実施形態）  
図１は、この発明の第１の実施形態に係わる電話交換システムの構成を示すブロック図である。
【００１９】
この電話交換システムは、同図に示すように、電話交換装置１に、複数（最大ｉ個）の内線端末２（２−１〜２−ｉ）を任意に接続して構成されている。なお、内線端末２には、アナログ電話機またはデジタルボタン電話機等が使用される。
【００２０】
電話交換装置１は、さらに、タイムスイッチ１１、複数（ｊ個）の局線インタフェース回路１２（１２−１〜１２−ｊ）、複数（ｉ個）の内線インタフェース回路１３（１３−１〜１３−ｉ）、制御部１４、記憶部１５、データハイウェイインタフェース部１６及びファイル転送制御部１７を備えており、タイムスイッチ１１、局線インタフェース回路１２及び内線インタフェース回路１３は、ＰＣＭハイウェイ１８を介して互いに接続されている。
【００２１】
また、局線インタフェース回路１２、内線インタフェース回路１３及びデータハイウェイインタフェース部１６は、データハイウェイ１９を介して互いに接続されている。さらに、制御部１４、記憶部１５、データハイウェイインタフェース部１６及びファイル転送制御部１７は、ＣＰＵバス２０を介して互いに接続されている。なお、タイムスイッチ１１は、制御部１４に直接接続されている。
【００２２】
タイムスイッチ１１は、制御部１４の制御に基づいてＰＣＭハイウェイ１８上のタイムスロットの入れ替えを行なうことによって、局線インタフェース回路１２及び内線インタフェース回路１３を任意に交換接続する。
【００２３】
局線インタフェース回路１２には、公衆回線や専用線などの局線Ｌ（Ｌ−１〜Ｌ−ｊ）が必要に応じて接続される。局線インタフェース回路１２は、接続された局線Ｌに関する局線インタフェース動作を行なう。また、局線インタフェース回路１２は、局線インタフェース動作に係わる種々の制御情報の授受を、データハイウェイ１９、データハイウェイインタフェース部１６及びＣＰＵバス２０を介して制御部１４との間で行なう。
【００２４】
内線インタフェース回路１３には、内線端末２が必要に応じて接続される。内線インタフェース回路１３は、接続された内線端末２に関する内線インタフェース動作を行なう。また、内線インタフェース回路１３は、内線インタフェース動作に係わる種々の制御情報の授受を、データハイウェイ１９、データハイウェイインタフェース部１６及びＣＰＵバス２０を介して制御部１４との間で行なう。
【００２５】
制御部１４は、記憶部１５に格納されている動作プログラムに基づいた処理を行なうことで、タイムスイッチ１１、局線インタフェース回路１２及び内線インタフェース回路１３のそれぞれを総括制御し、電話交換装置１としての動作を実現する。  
記憶部１５は、制御部１４の動作プログラムや、その他の永続的に使用される各種のデータを記憶している。また、記憶部１５には、制御部１４による制御処理の処理履歴に関するログデータ（メッセージ、プロトコルスタック、呼処理データ、システム管理ログ）が記憶される。このログデータとしては、内線端末２の操作履歴データや、呼処理に関する履歴データ等のメンテナンスに必要なデータがある。
【００２６】
ファイル転送制御部１７には、スロット２１が接続されている。スロット２１には外部メモリ３が着脱自在に装着される。そして、ファイル転送制御部１７は、記憶部１５の記憶容量を監視し、記録情報量が予め設定される上限設定値を超えるか否かを検出する機能と、記録情報量が予め設定される上限設定値を超えた場合に、記憶部１５に記憶されているログデータを読み出して、スロット２１を介して外部メモリ３に転送し記録する機能とを備えている。外部メモリ３は、随時書き込み読み出しが可能な不揮発性記憶素子を使用したメモリである。
【００２７】
図２は、上記ファイル転送制御部１７の機能構成を示すブロック図である。  
すなわち、ファイル転送制御部１７は、イベントトレース初期化部１７ａ、クラッシュダンプインラフェース（Ｉ／Ｆ）部１７ｂ、プロトコルスタックトレース部１７ｃ、メッセージトレース部１７ｄ、呼処理データトレース部１７ｅ、システム管理ログトレース部１７ｆ、イベントトレースＭＩＢ部１７ｇ、イベントトレースＤＩＳＫ保存部１７ｈ、トレースバッファ１７ｉ、保守制御部１７ｊ、運用コマンド制御部１７ｋ、ＳＮＭＰエージェント１７ｌ、運用制御初期化制御部１７ｍ及びＦｉｌＤｏｓ１７ｎを備えている。
【００２８】
イベントトレース初期化部１７ａは関数コールにて起動され、イベントトレース面属性情報，メッセージトレースのタスク毎フィルタ情報の初期設定を行う（Ａ）。
【００２９】
クラッシュダンプＩ／Ｆ部１７ｂは、関数コールにて起動され、クラッシュ発生時の面切替え処理を行う（Ｂ）。そして、クラッシュダンプ用に最新メッセージトレースデータを読込む（Ｃ）。
【００３０】
プロトコルスタックトレース部１７ｃは、関数コールにて起動され、ＩＳＤＮレイヤ３メッセージ内容をプロトコルスタックトレースに書き込む（Ｄ）。なお、収集条件（ポート番号，メッセージ，収集レベル）は要求元で判定する。そして、ＩＳＤＮ  Ｌ２データリンクの設定／解放情報をプロトコルスタックトレースに書き込む（Ｅ）。なお、収集条件（ポート番号，メッセージ種別，収集レベル）は要求元で判定する。
【００３１】
メッセージトレース部１７ｄは、メッセージ通信処理（メッセージ受信、次優先度メッセージ取り出しＩ／Ｆ）より関数コールにて起動され、受信メッセージ内容をトレースバッファ１７ｉに書き込む（Ｆ）。なお、収集条件（タスク毎フィルタ）は要求元で判定する。
【００３２】
呼処理データトレース部１７ｅは、サービス制御より関数コールにて起動され、サービス制御の内部データをトレースバッファ１７ｉに書き込む（Ｇ）。なお、収集条件（タスク毎フィルタ）は要求元で判定する。
【００３３】
システム管理ログトレース部１７ｆは、ＳＮＭＰエージェント１７ｌより関数コールにて起動され、ＳＮＭＰマネージャとエージェント間でやりとりされるＳＮＭＰパケット内容をトレースバッファ１７ｉに書き込む（Ｈ）。収集判定（開始／停止）は要求元で判定する。そして、保守モードよりのコマンド操作内容を保守操作履歴トレースに書き込む（Ｉ）。なお、収集判定（開始／停止）は要求元で判定する。
【００３４】
イベントトレースＭＩＢ１７ｇは、運用コマンド制御部１７ｋより関数コールにて起動され、情報の取得／設定チェック／設定を行なう（Ｊ〜Ｒ）。
【００３５】
イベントトレースＤＩＳＫ保存部１７ｈは、運用制御初期化制御部１７ｍからの初期化要求メッセージを受信する（Ｓ）。そして、運用制御初期化制御部１７ｍへのタスク初期化完了通知メッセージを送信する（Ｔ）。続いてＦｉｌＤｏｓ１７ｎに対し、記憶部１５へのファイルアクセス（書込み／読込み）を要求する（Ｕ）。また、ＤＩＳＫ管理部１７ｏからのＤＩＳＫ装着情報の変化通知メッセージを受信する（Ｖ）。そして、記憶部１５内のファイルサイズが指定サイズを超える直前、またはシステムリセットによる再起動時を契機に任意の外部メモリ３にファイル転送を行う（Ｗ）。
【００３６】
次に、上記構成における動作について説明する。  
図３は、上記ファイル転送制御部１７によるログデータの転送制御手順を示すフローチャートである。
【００３７】
まず、ファイル転送制御部１７は、システムリセット（保守モード１）されるか否かを監視しており（ステップＳＴ３ａ）、そして電話交換装置１の異常発生によりシステムリセットがなされる場合に（Ｙｅｓ）、記憶部１５に記憶されているログデータ（クラッシュダンプ）を読み出して、外部メモリ３に転送して記録する（ステップＳＴ３ｂ）。
【００３８】
続いて、ファイル転送制御部１７は、記憶部１５の記憶容量が設定上限値を超えているか否かの判断を行い（ステップＳＴ３ｃ）、設定上限値を超えていない場合（Ｎｏ）、制御部１４により実行されている制御処理のログデータを記憶部１５に記録する（ステップＳＴ３ｄ）。
【００３９】
一方、記憶部１５の記憶容量が設定上限値を超えている場合（Ｙｅｓ）、ファイル転送制御部１７は保守モード２に設定されているか、つまりファイル転送モードに設定されているか否かの判断を行う（ステップＳＴ３ｅ）。ここで、保守モード２に設定されている場合に（Ｙｅｓ）、ファイル転送制御部１７は記憶部１５に記憶されているログデータを外部メモリ３に転送して記録する（ステップＳＴ３ｆ）。このとき、ファイル転送制御部１７は記憶部１５から読み出されるログデータのデータフォーマットを外部メモリ３のデータフォーマットに変換する。すなわち、ログデータのデータフォーマットが外部メモリ３ごとに異なる場合、これらのデータフォーマットと記憶部１５のデータフォーマットとの対応を表す変換テーブルを記憶部１５に予め用意しておくことで、ファイル転送制御部１７では記憶部１５から読み出したログデータを全て外部メモリ３のデータフォーマットに変換することができる。
【００４０】
そして、ログデータの転送が完了すると、ファイル転送制御部１７は制御部１４により実行されている制御処理のログデータを記憶部１５の空き領域に記録する（ステップＳＴ３ｇ）。
【００４１】
一方、保守モード２が設定されていない場合（Ｎｏ）、ファイル転送制御部１７はステップＳＴ３ｅからステップＳＴ３ｇに移行して、ここで制御部１４により実行されている制御処理のログデータを古いログデータに上書きする。
【００４２】
なお、上記ステップＳＴ３ａにおいてシステムリセットされなければ、ファイル転送制御部１７は上記ステップＳＴ３ｃの処理に移行する。
【００４３】
以上のように上記第１の実施形態では、電話交換装置１のスロット２１に外部メモリ３を装着しておき、ファイル転送制御部１７において、記憶部１５の記憶容量が上限設定値を超えるか否かを判定し、上限設定値を超える場合に、記憶部１５に記憶されているふるいログデータを外部メモリ３に転送して記録するようにしている。
【００４４】
従って、外部メモリ３を電話交換装置１に装着するだけで、記憶部１５の記憶容量が満杯になる恐れがある場合に、人手を介することなく記憶部１５に記憶されている古いログデータ全てを外部メモリ３に転送して保護することができる。
【００４５】
また、上記第１の実施形態では、電話交換装置１の異常発生時にシステムリセットが行なわれると、ファイル転送制御部１７において、記憶部１５の記憶容量が上限設定値を超えていなくても、即座に記憶部１５に記憶されているログデータを外部メモリ３に転送して記録するようにしている。従って、電話交換装置１内の動作異常が記憶部１５に記憶されているログデータに波及することを防ぐことができる。
【００４６】
また、上記第１の実施形態では、ファイル転送制御部１７において、記憶部１５の記憶容量が上限設定値を超えた場合に、記憶部１５に記憶されているログデータの転送処理に先立ち、保守モード２に設定されているか否かの判定を行なうようにしている。従って、ユーザが自身で記憶部１５に記憶されているログデータを外部メモリ３に転送する必要があるか否かを判断して指示することができ、これにより真に必要なログデータのみを保護することができる。
【００４７】
さらに、上記第１の実施形態では、ファイル転送制御部１７において、記憶部１５に記憶されているログデータのデータフォーマットを外部メモリ３のデータフォーマットに変換して転送するようにしているので、如何なるタイプの外部メモリ３を使用しても、ログデータを確実に外部メモリ３に記録することができる。
【００４８】
（第２の実施形態）  
図４は、この発明の第２の実施形態に係わる電話交換システムの構成を示すブロック図である。なお、図４において、上記図１と同一部分には同一符号を付して詳細な説明を省略する。
【００４９】
この第２の実施形態では、上記スロット２１に代えて、ネットワークインタフェース（Ｉ／Ｆ）部２２をファイル転送制御部１７に接続している。ネットワークインタフェース部２２には、ＬＡＮ（Local Area Network）４が必要に応じて接続される。ネットワークインタフェース部２２は、接続されたＬＡＮ４に関するインタフェース動作を行なう。
【００５０】
ＬＡＮ４には、サーバ５が接続されている。このサーバ５には、汎用のパーソナル・コンピュータを使用している。またサーバ５には、記憶部５１が設けられている。
【００５１】
すなわち、ファイル転送制御部１７は、記憶部１５の記録情報量が予め設定される上限設定値を超えた場合に、記憶部１５に記憶されているログデータを読み出して、ネットワークインタフェース部２２及びＬＡＮ４を介してサーバ５に転送するようにしている。そしてサーバ５は、ＬＡＮ４を介して電話交換装置１から到来したログデータを記憶部５１に記録する。
【００５２】
このように上記第２の実施形態であっても、上記第１の実施形態と同様の作用効果が得られるとともに、電話交換装置１をＬＡＮ４に接続しておくだけで、記憶部１５の記録情報量が上限設定値を超える場合に、記憶部１５に記憶されているログデータがＬＡＮ４を介してサーバ５の記憶部５１に転送されることになるので、ユーザが外部メモリ３を電話交換装置１に装着しなくても、記憶部１５に記憶されているログデータを保護することができる。
【００５３】
（その他の実施形態）  
この発明は、上記各実施形態に限定されるものではない。例えば第１の実施形態では、ログデータのデータフォーマット変換をファイル転送制御部において行なうようにしたが外部メモリ上で行なうように構成してもよい。
【００５４】
また、上記第２の実施形態であっても、記憶部のログデータのデータフォーマットをサーバのデータフォーマットに変換するようにしてもよく、また保守モード２の選択設定も適用できる。
【００５５】
また、上記各実施形態では、電話交換装置を例にとって説明したが、ログデータをハードディスク等に記憶するパーソナル・コンピュータ等の情報処理装置であってもよい。この場合、通信履歴に関するログデータを装着可能な外部メモリに転送できるようにすれば、不具合の原因等を解析することができ、大変便利となる。
【００５６】
その他、電話交換装置の構成、ファイル転送制御部の機能構成、ログデータの種類、ログデータ転送制御手順とその内容等についても、この発明の要旨を逸脱しない範囲で種々変形して実施できる。
【図面の簡単な説明】
【００５７】
【図１】この発明の第１の実施形態に係わる電話交換システムの構成を示すブロック図。
【図２】図１に示したファイル転送制御部の機能構成を示すブロック図。
【図３】同第１の実施形態において、ファイル転送制御部によるログデータの転送制御手順を示すフローチャート。
【図４】この発明の第２の実施形態に係わる電話交換システムの構成を示すブロック図。
【符号の説明】
【００５８】
１…電話交換装置、２（２−１〜２−ｉ）…内線端末、３…外部メモリ、４…ＬＡＮ（Local Area Network）、５…サーバ、１１…タイムスイッチ、１２（１２−１〜１２−ｊ）…局線インタフェース回路、１３（１３−１〜１３−ｉ）…内線インタフェース回路、１４…制御部、１５，５１…記憶部、１６…データハイウェイインタフェース部、１７…ファイル転送制御部、１８…ＰＣＭハイウェイ、１９…データハイウェイ、２０…ＣＰＵバス、２１…スロット、２２…ネットワークインタフェース（Ｉ／Ｆ）部、Ｌ（Ｌ−１〜Ｌ−ｊ）…局線。
【図１】
2007006372.tif 000003
【図２】
2007006372.tif 000004
【図３】
2007006372.tif 000005
【図４】
2007006372.tif 000006